(57)【要約】【課題】店員または遊技客の操作利便性を損なうことなく、遊技用記録媒体の盗難防止処置を実施することを課題とする。【解決手段】ＣＲユニット１０では、プリペイドカードに関連付けられる価値項目のうち、プリペイドカードの返却時における価値高の有無を監視させる対象とする監視項目を取得し、プリペイドカードの返却時に入力させる入力暗証番号との比較対象とする参照暗証番号を取得し、プリペイドカードの返却要求を受け付けた場合に、監視項目の価値高が存在するか否かを判定し、価値高が存在すると判定した場合に、入力暗証番号を取得し、取得した入力暗証番号と参照暗証番号とに基づいて、プリペイドカードの返却要求を行う者が監視項目の価値高を保有する遊技者本人であるか否かを確認することとした。【選択図】        図３
2010005207.tif 000002
【特許請求の範囲】
【請求項１】
遊技に関する価値高が関連付けられた遊技用記録媒体の発行処理を行う記録媒体処理機であって、
前記遊技用記録媒体に関連付けられる価値項目のうち、前記遊技用記録媒体の返却時における価値高の有無を監視する対象とする監視項目を取得する監視項目取得手段と、
前記遊技用記録媒体の返却時の認証情報としての参照認証情報を取得する参照認証情報取得手段と、
前記遊技用記録媒体の返却要求を受け付けた場合に、前記監視項目取得手段によって取得された監視項目の価値高が存在するか否かを判定する価値高有無判定手段と、
前記価値高有無判定手段によって価値高が存在すると判定された場合に、返却時の認証情報としての入力認証情報を取得する入力認証情報取得手段と、
前記入力認証情報と前記参照認証情報との照合を行う認証情報照合手段と
を備えたことを特徴とする記録媒体処理機。
【請求項２】
前記監視項目取得手段または前記参照認証情報取得手段は、
前記遊技用記録媒体にいずれかの価値項目に対し価値高が関連付けられたことを契機に前記監視項目または前記参照認証情報の取得を行うことが可能となることを特徴とする請求項１に記載の記録媒体処理機。
【請求項３】
前記記録媒体処理機に併設される遊技機によって獲得された獲得遊技媒体を計数する計数手段をさらに備え、
前記監視項目取得手段または前記参照認証情報取得手段は、
前記計数手段によって計数された獲得遊技媒体数が所定値以上になった場合に、前記監視項目または前記参照認証情報の入力を促すことを特徴とする請求項１に記載の記録媒体処理機。
【請求項４】
前記参照認証情報取得手段は、
前記遊技用記録媒体が予め登録処理された遊技店会員に付与される会員用記録媒体として機能する場合に、当該会員用記録媒体に事前に関連付けられた会員用認証情報を前記参照認証情報として取得することを特徴とする請求項１、２または３に記載の記録媒体処理機。
【請求項５】
前記遊技用記録媒体に関連付けられたすべての監視項目の価値高がゼロになった場合に、前記監視項目取得手段によって取得された監視項目および前記参照認証情報取得手段によって取得された参照認証情報を無効化する無効化手段をさらに備えたことを特徴とする請求項１〜４のいずれか一つに記載の記録媒体処理機。
【請求項６】
前記記録媒体処理機は、遊技機毎に対応して設けられており、
複数の記録媒体処理機を管理する管理装置に対して、当該記録媒体処理機で受入中の遊技用記録媒体の識別情報に対応付けて、前記監視項目および前記参照認証情報を登録するように依頼する登録依頼手段をさらに備え、
前記監視項目取得手段または前記参照認証情報取得手段は、
前記遊技用記録媒体を新たに受け入れた場合に、該受け入れた遊技用記録媒体の識別情報を用いて、前記登録依頼手段によって前記管理装置に登録された監視項目および参照認証情報を取得することを特徴とする請求項１〜５のいずれか一つに記載の記録媒体処理機。
【請求項７】
遊技に関する価値高が関連付けられた遊技用記録媒体の発行処理を行う記録媒体処理機に適用する本人確認方法であって、
前記遊技用記録媒体に関連付けられる価値項目のうち、前記遊技用記録媒体の返却時における価値高の有無を監視する対象とする監視項目を取得する監視項目取得工程と、
前記遊技用記録媒体の返却時の認証情報としての参照認証情報を取得する参照認証情報取得工程と、
前記遊技用記録媒体の返却要求を受け付けた場合に、前記監視項目取得工程によって取得された監視項目の価値高が存在するか否かを判定する価値高有無判定工程と、
前記価値高有無判定工程によって価値高が存在すると判定された場合に、返却時の認証情報としての入力認証情報を取得する入力認証情報取得工程と、
前記入力認証情報と前記参照認証情報との照合を行う認証情報照合工程と
を含んだことを特徴とする本人確認方法。
【発明の詳細な説明】
【技術分野】
【０００１】
本発明は、遊技用記録媒体に関連付けられた価値に基づいて遊技媒体の貸出し処理を行う記録媒体処理機及びその本人確認方法に関する。
【背景技術】
【０００２】
従来より、パチンコ玉やメダルなどの遊技媒体を貸し出す遊技媒体貸出装置として、装置内部に複数枚の遊技用記録媒体を格納しておき、遊技客によって投入された貨幣に相当するプリペイド価値を装置内蔵の遊技用記録媒体に価値付け、価値付けたプリペイド価値に基づいて遊技媒体の貸出し処理を行うものがよく知られている。
【０００３】
このように、遊技店で遊技用記録媒体を用いる場合には、遊技客が所用で遊技席から離れた場合などに隙を見て遊技用記録媒体を抜き去り、この遊技用記録媒体に価値付けられているプリペイド価値を記録媒体精算機で精算する不正が発生する。
【０００４】
このような遊技用記録媒体の盗難を防止する観点から、特許文献１には、店員または利用者がキープ操作を行った場合には、遊技機を稼働不可能状態にすると同時に遊技媒体貸出機を貸出不可能とする一方、キープ解除操作を行った場合には、遊技機を稼働可能状態にすると同時に遊技媒体貸出機を貸出可能とする遊技媒体貸出機が開示されている。
【０００５】
これらキープ操作およびキープ解除操作は、店員または遊技客自身のいずれかによって行われるが、店員に行わせる場合には、遊技台に鍵を差し込んでロックスイッチからキープ鍵スイッチに回す操作およびキープ鍵スイッチを元に戻す操作を実行させ、また、遊技客に行わせる場合には、離席時および帰席時に暗証番号を入力させている。
【０００６】
【特許文献１】特開２０００−１４０３９４号公報
【発明の開示】
【発明が解決しようとする課題】
【０００７】
しかしながら、上述した従来技術においては、遊技客が離席する度に店員または遊技客にキープ操作およびキープ解除操作を強いることになるため、店員または遊技客の操作利便性を損なってしまうという問題があった。
【０００８】
例えば、店員がキープ操作を行う場合には、遊技客が離席時および帰席時に台ランプ等を用いて店員を呼び出さねばならず、また、遊技客がキープ操作を求める度に店員が遊技台に鍵を差し込んでキープ鍵スイッチに回す操作、さらにはキープ鍵スイッチを元に戻す操作を行わねばならなくなる。
【０００９】
また、遊技客がキープ操作を行う場合には、遊技客が離席する度に暗証番号を入力するとともに、帰席時にも暗証番号を同様に入力せねばならない。
【００１０】
このように、店員または遊技客のいずれがキープ操作およびキープ解除操作を行う場合でも遊技客が離席する度に煩雑な操作を行う必要があり、店員または遊技客の操作利便性が損なわれてしまうことになる。
【００１１】
このことから、遊技用記録媒体の盗難防止処置を実施する場合に、いかにして店員または遊技客が行う操作量を低減させるかが重要な課題となっている。
【００１２】
そこで、本発明は、上述した従来技術による課題（問題点）を解消するためになされたものであり、店員または遊技客の操作利便性を損なうことなく、遊技用記録媒体の盗難防止処置を実施することができる記録媒体処理機及びその本人確認方法を提供することを目的とする。
【課題を解決するための手段】
【００１３】
上述した課題を解決し、目的を達成するために、本発明に係る記録媒体処理機は、遊技に関する価値高が関連付けられた遊技用記録媒体の発行処理を行う記録媒体処理機であって、前記遊技用記録媒体に関連付けられる価値項目のうち、前記遊技用記録媒体の返却時における価値高の有無を監視する対象とする監視項目を取得する監視項目取得手段と、前記遊技用記録媒体の返却時の認証情報としての参照認証情報を取得する参照認証情報取得手段と、前記遊技用記録媒体の返却要求を受け付けた場合に、前記監視項目取得手段によって取得された監視項目の価値高が存在するか否かを判定する価値高有無判定手段と、前記価値高有無判定手段によって価値高が存在すると判定された場合に、返却時の認証情報としての入力認証情報を取得する入力認証情報取得手段と、前記入力認証情報と前記参照認証情報との照合を行う認証情報照合手段とを備えたことを特徴とする。
【００１４】
また、本発明に係る記録媒体処理機は、上記の発明において、前記監視項目取得手段または前記参照認証情報取得手段は、前記遊技用記録媒体にいずれかの価値項目に対し価値高が関連付けられたことを契機に前記監視項目または前記参照認証情報の取得を行うことが可能となることを特徴とする。
【００１５】
また、本発明に係る記録媒体処理機は、上記の発明において、前記記録媒体処理機に併設される遊技機によって獲得された獲得遊技媒体を計数する計数手段をさらに備え、前記監視項目取得手段または前記参照認証情報取得手段は、前記計数手段によって計数された獲得遊技媒体数が所定値以上になった場合に、前記監視項目または前記参照認証情報の入力を促すことを特徴とする。
【００１６】
また、本発明に係る記録媒体処理機は、上記の発明において、前記参照認証情報取得手段は、前記遊技用記録媒体が予め登録処理された遊技店会員に付与される会員用記録媒体として機能する場合に、当該会員用記録媒体に事前に関連付けられた会員用認証情報を前記参照認証情報として取得することを特徴とする。
【００１７】
また、本発明に係る記録媒体処理機は、上記の発明において、前記遊技用記録媒体に関連付けられたすべての監視項目の価値高がゼロになった場合に、前記監視項目取得手段によって取得された監視項目および前記参照認証情報取得手段によって取得された参照認証情報を無効化する無効化手段をさらに備えたことを特徴とする。
【００１８】
また、本発明に係る記録媒体処理機は、上記の発明において、前記記録媒体処理機は、遊技機毎に対応して設けられており、複数の記録媒体処理機を管理する管理装置に対して、当該記録媒体処理機で受入中の遊技用記録媒体の識別情報に対応付けて、前記監視項目および前記参照認証情報を登録するように依頼する登録依頼手段をさらに備え、前記監視項目取得手段または前記参照認証情報取得手段は、前記遊技用記録媒体を新たに受け入れた場合に、該受け入れた遊技用記録媒体の識別情報を用いて、前記登録依頼手段によって前記管理装置に登録された監視項目および参照認証情報を取得することを特徴とする。
【００１９】
また、本発明に係る記録媒体処理機に適用する本人確認方法は、遊技に関する価値高が関連付けられた遊技用記録媒体の発行処理を行う記録媒体処理機に適用する本人確認方法であって、前記遊技用記録媒体に関連付けられる価値項目のうち、前記遊技用記録媒体の返却時における価値高の有無を監視する対象とする監視項目を取得する監視項目取得工程と、前記遊技用記録媒体の返却時の認証情報としての参照認証情報を取得する参照認証情報取得工程と、前記遊技用記録媒体の返却要求を受け付けた場合に、前記監視項目取得工程によって取得された監視項目の価値高が存在するか否かを判定する価値高有無判定工程と、前記価値高有無判定工程によって価値高が存在すると判定された場合に、返却時の認証情報としての入力認証情報を取得する入力認証情報取得工程と、前記入力認証情報と前記参照認証情報との照合を行う認証情報照合工程とを含んだことを特徴とする。
【発明の効果】
【００２０】
本発明によれば、遊技用記録媒体に関連付けられる価値項目のうち、遊技用記録媒体の返却時における価値高の有無を監視する対象とする監視項目を取得し、遊技用記録媒体の返却時の認証情報としての参照認証情報を取得し、遊技用記録媒体の返却要求を受け付けた場合に、取得した監視項目の価値高が存在するか否かを判定し、価値高が存在すると判定した場合に、返却時の認証情報としての入力認証情報を取得し、入力認証情報と参照認証情報との照合を行うように構成したので、遊技用記録媒体の盗難防止処置を実施する場合に、店員または遊技客が行う操作量を低減させることができ、店員または遊技客の操作利便性を損なうことなく、遊技用記録媒体の盗難防止処置を実施することが可能になるという効果を奏する。
【００２１】
また、本発明によれば、遊技用記録媒体にいずれかの価値項目に対し価値高が関連付けられたことを契機に監視項目または参照認証情報の取得を行うことが可能となるように構成したので、遊技客が遊技用記録媒体の使用を開始する際に監視項目または参照認証情報を取得することができ、盗難防止処置に必要な情報を可及的速やかに取得することが可能になるという効果を奏する。
【００２２】
また、本発明によれば、記録媒体処理機に併設される遊技機によって獲得された獲得遊技媒体を計数し、計数した獲得遊技媒体数が所定値以上になった場合に、監視項目または参照認証情報の入力を促すように構成したので、遊技客が遊技により持ち遊技媒体を獲得し、気持ちよく遊技を行っている際に入力を促すことができ、快く監視項目および参照認証情報を入力させることが可能になるという効果を奏する。
【００２３】
また、本発明によれば、遊技用記録媒体が予め登録処理された遊技店会員に付与される会員用記録媒体として機能する場合に、当該会員用記録媒体に事前に関連付けられた会員用認証情報を参照認証情報として取得するように構成したので、あらかじめ会員登録時において会員用記録媒体に関連付けられた認証情報を流用することができ、改めて参照認証情報を入力させる必要をなくすことが可能になるという効果を奏する。
【００２４】
また、本発明によれば、遊技用記録媒体に関連付けられたすべての監視項目の価値高がゼロになった場合に、取得した監視項目および参照認証情報を無効化するように構成したので、遊技客個人を一定の度合いで特定して監視項目および参照認証情報を消去することができ、以前に登録された遊技客の監視項目および参照認証情報が後から遊技を行う遊技客に引き継がれる事態を防止することが可能になるという効果を奏する。
【００２５】
また、本発明によれば、記録媒体処理機は、遊技機毎に対応して設けられている際に、複数の記録媒体処理機を管理する管理装置に対して、当該記録媒体処理機で受入中の遊技用記録媒体の識別情報に対応付けて、監視項目および参照認証情報を登録するように依頼し、遊技用記録媒体を新たに受け入れた場合に、該受け入れた遊技用記録媒体の識別情報を用いて、管理装置に登録された監視項目および参照認証情報を取得するように構成したので、台移動を行う遊技客に移動先の遊技台で再び監視項目および参照認証情報を入力させる手間を省くことができ、盗難防止処置に伴う遊技客の操作量を効果的に低減することが可能になるという効果を奏する。
【発明を実施するための最良の形態】
【００２６】
以下に添付図面を参照して、本発明に係る記録媒体処理機及びその本人確認方法の好適な実施例を詳細に説明する。なお、以下では、本発明をパチンコ遊技を提供する各台計数システムに適用する場合について説明することとする。
【実施例１】
【００２７】
まず、実施例１に係る記録媒体処理機を含む各台計数システムのシステム構成について説明する。図１は、実施例１に係る各台計数システムのシステム構成を示すシステム構成図である。同図に示すように、この各台計数システムには、計数機能付きＣＲユニット１０（以下、単にＣＲユニットと言う）と、パチンコ機２０と、島コントローラ３０と、価値管理装置５０とが設けられている。
【００２８】
ＣＲユニット１０は、遊技店内の各パチンコ機２０に併設されるカード処理ユニット（記録媒体処理機）であり、本実施例では、パチンコ機２０の下皿から投入されるパチンコ玉を計数する計数機能（後述する計数部１０７）をさらに有する。具体的には、自装置が接続されたパチンコ機２０で遊技者が獲得したパチンコ玉の玉数を計数したうえで計数結果である計数値を持ち玉としてプリペイドカードに関連付け、計数値が関連付けられたプリペイドカードを発行する。なお、従来と同様、プリペイドカードに価値付けられたプリペイド残度数を用いた玉貸しも行う。
【００２９】
パチンコ機２０は、パチンコ玉を遊技領域に発射して遊技者がパチンコ遊技を行う装置であり、本実施例では、プリペイドカード対応のいわゆるＣＲパチンコ機であるものとしている。
【００３０】
島コントローラ３０は、周囲を通路に囲まれたスペース（遊技島）に設けられた一群のＣＲユニット１０及びパチンコ機２０を束ねる中継装置である。
【００３１】
価値管理装置５０は、後述する価値管理テーブル５４ａを用いて、プリペイドカードに関連付けられた各種の価値を管理する装置である。この価値管理テーブル５４ａは、プリペイドカードの識別情報（以下、プリペイドカードＩＤ）、プリペイド残度数、持ち玉数を対応付けて記憶している。例えば、ＣＲユニット１０からプリペイド残度数の更新依頼を受け付けた場合には、当該更新依頼に含まれるプリペイドカードＩＤに対応する残度数を更新し、また、持ち玉の更新依頼を受け付けた場合には、当該更新依頼に含まれるプリペイドカードＩＤに対応する持ち玉数を更新する。
【００３２】
このように、各台計数システムにおいては、プリペイドカードにプリペイド残度数に加えて持ち玉がさらに関連付けられることになり、島端に計数機を配設する場合にはあまり問題になっていなかった玉箱の窃盗がプリペイドカード１枚の窃盗でなされてしまう状況にあるため、プリペイドカードの盗難防止処置の必要性が高まっている。
【００３３】
ここで、本実施例に係るＣＲユニット１０は、プリペイドカードに関連付けられる価値項目のうち、プリペイドカードの返却時における価値高の有無を監視する対象とする監視項目を取得し、プリペイドカードの返却時の認証情報としての参照暗証番号を取得し、プリペイドカードの返却要求を受け付けた場合に、監視項目の価値高が存在するか否かを判定し、価値高が存在すると判定した場合に、返却時の認証情報としての入力暗証番号を取得し、取得した入力暗証番号と参照暗証番号との照合を行う点にその特徴がある。
【００３４】
すなわち、本実施例では、プリペイドカードの返却時に入力暗証番号を入力させ、あらかじめ取得したおいた参照暗証番号と照合することで、わざわざプリペイドカードを返却させずとも最終的に退店もしくは台移動する際にだけ入力暗証番号を入力するだけでプリペイドカードの安全性を担保することができ、上述した従来技術のように、遊技客自身が入力暗証番号を入力したり、わざわざ係員を呼び出してキープ鍵スイッチに鍵をセットさせるキープ操作、ひいてはそれに伴うキープ解除操作を離席および帰席の度に行う必要をなくし、店員または遊技客が行う操作量を低減させることができるようにしている。
【００３５】
さらに、本実施例では、プリペイドカードに価値付けられる価値項目、たとえば本実施例で言えばプリペイド残度数や持ち玉などの項目から、あらかじめ遊技客が重要と目した価値項目を監視項目として指定させ、指定の監視項目に対応する価値高が存在する場合にだけ入力暗証番号を入力させる一方で、監視項目に数値が存在する場合以外は、返却操作の受付時にプリペイドカードをそのまま返却することで、遊技客自身が必要でないと考えるケースでは入力暗証番号を入力する必要もなくしており、遊技客による操作量をさらに低減させることができるようにしている。
【００３６】
したがって、本実施例によれば、プリペイドカードの盗難防止処置を実施する場合に、店員または遊技客が行う操作量を低減させることができ、店員または遊技客の操作利便性を損なうことなく、プリペイドカードの盗難防止処置を実施することが可能になる。
【００３７】
また、本実施例によれば、遊技客自身に監視項目を指定させ、該指定された監視項目に対応する価値高が存在する場合にだけ入力暗証番号を入力させるので、プリペイドカードの安全性と操作利便性のバランスを遊技客自身に選択させ、監視項目を指定していなかった価値項目に価値高が存在した場合に起こる盗難、或いは監視項目を全く指定していない場合に起こる盗難についてはその責任を遊技客自身に委ねることが可能になる。
【００３８】
さらに、本実施例によれば、暗証番号等の認証情報を用いた盗難防止処置を実施するので、プリペイドカードの盗難が減少する結果、盗難分のプリペイドカードの補充（さらにはプリペイドカード一体型会員カードの補充も含む）に要する費用をも低減することが可能になる。
【００３９】
続いて、実施例１に係る各台計数システムを構成する各装置の構成（ＣＲユニット１０及び価値管理装置５０）を説明する。なお、以下では、ＣＲユニット１０の構成を説明した後に価値管理装置５０の構成を説明することとする。
【００４０】
前述のように、実施例１に係るＣＲユニット１０の構成を説明する。図２は、図１に示したＣＲユニットの外観を示した正面図である。なお、この図２には、ＣＲユニット１０が併設されたパチンコ機２０を破線で示している。
【００４１】
図２に示すように、ＣＲユニット１０は、係員の呼び出し時などに点灯する状態表示部１０１と、玉貸しのための各種紙幣を受け付ける紙幣挿入部１０２と、持ち玉の払出し（返却）要求を受け付ける持玉返却ボタン１０３と、液晶パネルやディスプレイなどの表示デバイス上で操作入力を受け付けることができる表示可能かつ入力可能なタッチパネル１０４と、持ち玉を払い出すノズルを備えた持ち玉払出部１０５と、プリペイドカードの受付／返却を行うカード挿入部１０６と、持ち玉（獲得玉）を計数する計数部１０７と、持ち玉（獲得玉）を貯留する玉貯留部１０８とを有する。
【００４２】
また、パチンコ機２０には、パチンコ遊技に使用するパチンコ玉を貯留する上皿２１０と、上皿２１０の許容容量を超えて溢れたパチンコ玉を貯留する下皿２２０とが設けられている。このうち、上皿２１０には、プリペイドカードの残度数等を表示する７ＳＥＧ表示部２１１と、玉貸し要求を受け付ける玉貸しボタン２１２と、プリペイドカードの返却要求を受け付ける返却ボタン２１３とがさらに設けられている。なお、本実施例では、玉貸しボタン２１２及び返却ボタン２１３をパチンコ機２０に設けることとしたが、必ずしもパチンコ機２０側に設ける必要はなく、ＣＲユニット１０に設けることとしてもよい。
【００４３】
パチンコ玉を借り受ける際には、遊技客がパチンコ機２０側の玉貸しボタン２１２を押下操作すると、玉貸し操作信号がＣＲユニット１０に転送されてＣＲユニット１０側で玉貸し操作が受け付けられ、ＣＲユニット１０からパチンコ機２０に玉投出指示が行われて貸し玉が上皿２１０に投出されることになる。
【００４４】
また、持ち玉が計数される際には、パチンコ機２０の下皿２２０から獲得玉を玉貯留部１０８に投入すると、その投入玉が計数部１０７に誘導されて獲得玉の数量が計数される。そして、遊技者が持玉返却ボタン１０３を押下すると、後述する持ち玉・残度数更新部１６ａによって持ち玉（獲得玉）として管理されている玉数の範囲内であれば、持ち玉が持ち玉払出部１０５経由でパチンコ機２０の上皿２１０に投出される。
【００４５】
図３は、図２に示したＣＲユニットの内部構成を示す機能ブロック図である。なお、図３に示す持ち玉系機能部１３ａおよびプリペイド系機能部１３ｂでは、発明の本質に直結しない機能部をまとめたブロック構成としているが、実際には細分化されており、図示されていないからと言ってその機能部が実在しない訳ではない。
【００４６】
図３に示すように、このＣＲユニット１０は、操作部１１と、通信Ｉ／Ｆ部１２ａと、遊技機用通信Ｉ／Ｆ部１２ｂと、持ち玉系機能部１３ａと、プリペイド系機能部１３ｂと、カード処理部１４と、記憶部１５と、制御部１６とを有する。
【００４７】
操作部１１は、図２に示した持玉返却ボタン１０３やタッチパネル１０４などの各種ボタン群の総称である。
【００４８】
通信Ｉ／Ｆ部１２ａは、プリペイドカードの残度数や持ち玉数を統括管理する価値管理装置５０やＣＲユニット１０を遊技島単位に束ねる島コントローラ３０などの他の装置の間で各種通信の制御を行うインターフェースである。
【００４９】
遊技機用通信Ｉ／Ｆ部１２ｂは、当該ＣＲユニット１０に併設されるパチンコ機２０との間で各種通信（例えば、玉貸し要求や玉投出指示などの）の制御を行うインターフェースである。
【００５０】
持ち玉系機能部１３ａは、持ち玉の処理に携わる機能部の総称であり、たとえば計数部１０７や持ち玉払出部１０５などがこれに相当する。
【００５１】
プリペイド系機能部１３ｂは、プリペイド残度数の処理に携わる機能部の総称であり、たとえば紙幣挿入部１０２に挿入された紙幣の金種を識別する紙幣識別機（ビルバリユニット）などがこれに相当する。
【００５２】
カード処理部１４は、カード挿入部１０６から挿入された各種カードを取り扱う処理部である。具体的には、プリペイドカードや会員カードなど各種カードに対して情報の読み書きを行うカードリーダライタ、内蔵のプリペイドカード（価値高なしのカード）を収納するカード収納部やカードリーダライタ及びカード収納部間の搬送／繰出を行う搬送／繰出機構部などを含んで構成される。
【００５３】
記憶部１５は、制御部１６による各種処理に必要なデータおよびプログラムを記憶する不揮発性メモリ等の記憶デバイスであり、例えば、プリペイドカードの返却時における価値高の有無を監視させる対象とする監視項目（価値項目）を示す価値項目データ１５ａと、入力暗証番号との比較対象とする参照暗証番号を示す参照暗証番号データ１５ｂとを併せて記憶する。
【００５４】
制御部１６は、ＣＲユニット１０を全体制御する制御部であり、持ち玉・残度数更新部１６ａと、監視項目登録部１６ｂと、参照暗証番号登録部１６ｃと、監視項目・暗証番号消去部１６ｄと、価値高有無判定部１６ｅと、本人確認部１６ｆとを有する。実際には、これらの機能部に対応するプログラムを図示しないＲＯＭや不揮発性メモリに記憶しておき、これらのプログラムをＣＰＵにロードして実行し、持ち玉・残度数更新部１６ａ、監視項目登録部１６ｂ、参照暗証番号登録部１６ｃ、監視項目・暗証番号消去部１６ｄ、価値高有無判定部１６ｅ及び本人確認部１６ｆにそれぞれ対応するプロセスを実行させることになる。
【００５５】
持ち玉・残度数更新部１６ａは、プリペイド残度数および持ち玉の更新を行う処理部である。
【００５６】
ここで、かかる価値項目のうち、持ち玉については、プリペイドカードの返却が行われるまではＣＲユニット１０内で持ち玉数がローカルに管理され、プリペイドカードの返却時に持ち玉数がプリペイドカードＩＤに対応付けて価値管理装置５０に通知される一方、プリペイド残度数については、ＣＲユニット１０および価値管理装置５０の間で常に同期を取りつつ最新の残度数が両者によって管理される。
【００５７】
まず、持ち玉の更新について説明すると、持ち玉・残度数更新部１６ａは、持ち玉系機能部１３ａ所属の計数部１０７からセンサ出力が得られた場合には、そのセンサ出力を持ち玉・残度数更新部１６ａ内に保持する現持ち玉数にカウントアップする加算更新を行う。また、持玉返却ボタン１０３の押下操作を受け付けた場合には、価値管理装置５０等によりあらかじめ設定された払出し数を内部保持する持ち玉数から減算する減算更新を行うとともに、持ち玉系機能部１３ａ所属の持ち玉払出部１０５に払出し数分の投出指示を行う。
【００５８】
次に、プリペイド残度数の更新について説明すると、持ち玉・残度数更新部１６ａは、紙幣挿入部１０２に挿入された紙幣がプリペイド系機能部１３ｂ所属のＢＶユニット（ビルバリユニット）によって金種および真偽が判別された場合に、当該挿入紙幣分の残度数を内蔵のプリペイドカードに加算するように加算依頼度数およびプリペイドカードＩＤを含む度数価値付け依頼を価値管理装置５０に行う。なお、この度数価値付け依頼を受け付けた価値管理装置５０では、後述する価値管理テーブル５４ａ内の該当プリペイドカードＩＤの残度数に加算依頼度数を加算し、価値付け完了応答を依頼元のＣＲユニット１０に返信する。
【００５９】
一方、持ち玉・残度数更新部１６ａは、パチンコ機２０付設の玉貸しボタン２１２が押下された場合に、価値管理装置５０等によりあらかじめ設定された貸出単位金額分の度数を挿入中のプリペイドカードから減算するように減算依頼度数およびプリペイドカードＩＤを含む残度数減算依頼を価値管理装置５０に行う。なお、この残度数価値付け依頼を受け付けた価値管理装置５０では、後述する価値管理テーブル５４ａ内の該当プリペイドカードＩＤの残度数から減算依頼度数を減算し、減算完了応答を依頼元のＣＲユニット１０に返信する。
【００６０】
また、持ち玉・残度数更新部１６ａは、カード挿入部１０６に挿入されたプリペイドカードのプリペイドカードＩＤがカード処理部１４によって読み取られた場合には、当該プリペイドカードＩＤに対応する持ち玉数および残度数を価値管理装置５０に問い合わせる。なお、この問合せを受け付けた価値管理装置５０では、後述する価値管理テーブル５４ａ内の該当プリペイドカードＩＤの持ち玉数およびプリペイド残度数を読み出し、該読み出した持ち玉数およびプリペイド残度数を問合せ元のＣＲユニット１０に返信する。
【００６１】
このようにして、持ち玉・残度数更新部１６ａでは、持ち玉およびプリペイド残度数の更新を行っており、パチンコ機２０付設の返却ボタン２１３が押下された場合に、内部保持しておいた持ち玉数を挿入中のプリペイドカードＩＤに紐付けて価値管理装置５０に通知し、プリペイドカードに持ち玉が関連付けられた後にカード処理部１４によってプリペイドカードが返却される。
【００６２】
監視項目登録部１６ｂは、監視項目を記憶部１５に登録する処理部である。具体的にはプリペイドカードに持ち玉またはプリペイド残度数のいずれかの価値項目が関連付けられたことを契機に、タッチパネル１０４を介して監視項目の選択を受け付け（図７参照）、該受け付けた監視項目を監視項目データ１５ａとして記憶部１５内に登録する。
【００６３】
参照暗証番号登録部１６ｃは、参照暗証番号を記憶部１５に登録する処理部である。具体的には、持ち玉およびプリペイド残度数のうち少なくともいずれかの価値項目が監視項目として選択された場合に、タッチパネル１０４を介してプリペイドカードの返却時に入力させる入力暗証番号との比較対象とする参照暗証番号の入力を受け付け（図８参照）、該受け付けた参照暗証番号を参照暗証番号データ１５ｂとして記憶部１５内に登録（格納）する。そして、このようにして受け付けた参照暗証番号と、監視項目登録部１６ｂによって受け付けられた監視項目とを挿入中のプリペイドカードのプリペイドカードＩＤに紐付けて監視項目および参照暗証番号の登録を価値管理装置５０に依頼する。
【００６４】
監視項目・暗証番号消去部１６ｄは、記憶部１５内に記憶された監視項目および参照暗証番号を消去する処理部である。具体的には、プリペイドカードに関連付けられたすべての価値項目の価値高がゼロになった場合に、記憶部１５内の監視項目データ１５ａおよび参照暗証番号データ１５ｂを消去する。なお、当然のことながら、プリペイドカードが返却された場合にも監視項目および参照暗証番号を消去することは言うまでもない。
【００６５】
このように、一定の条件下では監視項目および参照暗証番号を消去することとしたのは、プリペイドカードが不特定多数の人物に再帰的に利用されるものであり、以前に登録された遊技客の監視項目および参照暗証番号が後から遊技を行う遊技客に引き継がれる事態を防止するためである。
【００６６】
ところが、かかる事態を防止するためには、同一の遊技客が同一のプリペイドカードを使用する限りにおいては有効としつつ、異なる遊技客が同一のプリペイドカードを使用するおそれがある場合には監視項目および参照暗証番号を無効とする必要、すなわち遊技客個人を一定の度合いで特定する必要がある。
【００６７】
このため、本実施例では、プリペイドカードに関連付けられたすべての価値項目の価値高がゼロになった場合には、遊技客が交代する可能性が高いと想定可能な状況となるため、かかる状況では、記憶部１５に監視項目データ１５ａ及び参照暗証番号データ１５ｂとして記憶された監視項目および参照暗証番号をリセットすることとしている。
【００６８】
価値高有無判定部１６ｅは、記憶部１５によって監視項目データ１５ａとして記憶された監視項目に対応する価値高が存在するか否かを判定する処理部である。具体的には、パチンコ機２０付設の返却ボタン２１３が押下された場合に、監視項目として持ち玉が登録されていれば持ち玉数、プリペイド残度数が登録されていればプリペイド残度数数、これら両方が登録されていれば持ち玉数およびプリペイド残度数の両方を持ち玉・残度数更新部１６ａに問い合わせ、監視項目に対応した価値高の有無を判定する。
【００６９】
本人確認部１６ｆは、記憶部１５によって参照暗証番号データ１５ｂとして記憶された参照暗証番号と、タッチパネル１０４を介して入力を受け付けた入力暗証番号とに基づいて、プリペイドカードの返却要求を行う者が監視項目の価値高を保有する遊技者本人であるか否かを確認する処理部である。
【００７０】
より具体的には、価値高有無判定部１６ｅによって監視項目に対応する価値高が存在すると判定された場合に、タッチパネル１０４を介して入力暗証番号を受け付けるとともに、記憶部１５によって参照暗証番号データ１５ｂとして記憶された参照暗証番号を読み出し、入力暗証番号および参照暗証番号を照合する。
【００７１】
このとき、入力暗証番号および参照暗証番号の両者が一致する場合には、持ち玉・残度数更新部１６ａによって持ち玉をプリペイドカードに関連付けさせた後にカード処理部１４に挿入中のプリペイドカードを返却させ、一方、両者が一致しない場合には、再び入力暗証番号を受け付ける。そして、入力暗証番号を所定回数（例えば、３回）以上受け付けても両暗証番号が一致しない場合には、タッチパネル１０４、後述する価値管理装置５０の出力部５２、その他従業員のインカムなどを通じてプリペイドカードの盗難のおそれがある旨を周囲の遊技客、従業員および不正者に報知する。
【００７２】
なお、ここでは、所定回数まで入力暗証番号が参照暗証番号と不一致であっても許容することとしたが、１度でも参照暗証番号と一致しない入力暗証番号が入力された場合には直ちに報知を行うようにしてもかまわない。また、このようにプリペイドカードに盗難のおそれがある場合には、挿入中のプリペイドカードを暫定的に内部のカード収納部に取り込んでしまうようにしてもよい。
【００７３】
次に、本実施例に係る価値管理装置５０の構成を説明する。図４は、図１に示した価値管理装置の内部構成を示す機能ブロック図である。なお、図４では、実施例１に係る価値管理装置５０の特徴点を説明するために必要な構成要素のみを抜粋している。
【００７４】
同図に示すように、価値管理装置５０は、入力部５１と、出力部５２と、通信Ｉ／Ｆ部５３と、記憶部５４と、制御部５５とを有する。
【００７５】
入力部５１は、キーボードやマウス等の入力デバイスであり、出力部５２は、液晶パネルやディスプレイ等の表示デバイスであり、また、通信Ｉ／Ｆ部５３は、ＣＲユニット１０及び島コントローラ３０との間でデータ通信を行うためのインターフェースである。
【００７６】
記憶部５４は、ハードディスク装置や不揮発性メモリ等の記憶デバイスであり、プリペイドカードに関連付けられる各価値項目の価値高を管理する価値管理テーブル５４ａを併せて記憶する。
【００７７】
価値管理テーブル５４ａは、図５に示すように、プリペイドカードＩＤごとに残度数、持ち玉数、監視項目および参照暗証番号を記憶するテーブルである。
【００７８】
例えば、プリペイドカードＩＤ「０１２３４」のカードを例に挙げれば、カード返却時に持ち玉有無の判定を行うように監視項目が設定されており、持ち玉が存在する場合には参照暗証番号「９９９９」と一致する入力暗証番号が入力された場合のみに挿入中のプリペイドカードを返却するように監視項目および参照暗証番号が設定されていることを示している。また、プリペイドカードＩＤ「３２３４５」のカードの場合には、持ち玉およびプリペイド残度数の両方について価値高有無の判定を行うように監視項目が設定されており、いずれかの価値項目の価値高が存在する場合には、参照暗証番号「００２８」と一致する入力暗証番号が入力された場合のみに挿入中のプリペイドカードを返却するように参照暗証番号が設定されていることを示している。
【００７９】
制御部５５は、価値管理装置５０を全体制御する制御部であり、持ち玉・残度数管理部５５ａと、監視項目・暗証番号登録部５５ｂと、監視項目・暗証番号消去部５５ｃとを有する。実際には、これらの機能部に対応するプログラムを図示しないＲＯＭや不揮発性メモリに記憶しておき、これらのプログラムをＣＰＵにロードして実行し、持ち玉・残度数管理部５５ａ、監視項目・暗証番号登録部５５ｂ及び監視項目・暗証番号消去部５５ｃにそれぞれ対応するプロセスを実行させることになる。
【００８０】
持ち玉・残度数管理部５５ａは、価値管理テーブル５４ａを用いて、プリペイドカードに関連付けられた持ち玉およびプリペイド残度数を管理する処理部である。具体的には、ＣＲユニット１０からプリペイドカードＩＤを含む持ち玉更新依頼を受け付けた場合には、価値管理テーブル５４ａ内の該当プリペイドカードＩＤの持ち玉数を更新して更新完了応答を依頼元のＣＲユニット１０に返信し、また、ＣＲユニット１０からプリペイドカードＩＤを含む残度数更新依頼を受け付けた場合には、価値管理テーブル５４ａ内の該当プリペイドカードＩＤの残度数を更新して更新完了応答を依頼元のＣＲユニット１０に返信する。
【００８１】
監視項目・暗証番号登録部５５ｂは、ＣＲユニット１０から受け付けた監視項目および参照暗証番号を価値管理テーブル５４ａに登録する処理部である。具体的には、ＣＲユニット１０の参照暗証番号登録部１６ｃからプリペイドカードＩＤに紐付けられた監視項目および参照暗証番号を受け付け、該受け付けた監視項目および参照暗証番号を価値管理テーブル５４ａ内の該当プリペイドカードＩＤのフィールドに登録する。
【００８２】
このように、価値管理装置５０側においても監視項目および参照暗証番号を管理させることとしたのは、プリペイドカードの返却を受けて異なる遊技台で遊技を行おうとする遊技客、すなわち台移動を行う遊技客に移動先の遊技台で再び監視項目および参照暗証番号を入力させる手間を省くためである。なお、本実施例では、価値管理装置５０側で監視項目および参照暗証番号を記憶させることとしが、監視項目および参照暗証番号をプリペイドカードに記録させるようにしてもよい。
【００８３】
このように価値管理装置５０で監視項目および参照暗証番号を管理させることに連動して、カード挿入部１０６にプリペイドカードが挿入された場合に、ＣＲユニット１０によってプリペイドカードに関連付けられた持ち玉およびプリペイド残度数だけでなく、監視項目および参照暗証番号が併せて問い合わせられる。
【００８４】
この問合せを受け付けた価値管理装置５０の持ち玉・残度数管理部５５ａは、価値管理テーブル５４ａ内の該当プリペイドカードＩＤに対応する持ち玉およびプリペイド残度数を返信するとともに、当該プリペイドカードＩＤに対応する監視項目および参照暗証番号の登録が存在する場合には、監視項目および参照暗証番号をさらに返信する。なお、問合せ結果を得たＣＲユニット１０では、監視項目および参照暗証番号が得られた場合に、監視項目登録部１６ｂ及び参照暗証番号登録部１６ｃによって記憶部１５内に監視項目および参照暗証番号が登録されることとなる。
【００８５】
監視項目・暗証番号消去部５５ｃは、価値管理テーブル５４ａに登録された監視項目および参照暗証番号を消去する処理部である。具体的には、持ち玉・残度数管理部５５ａによって持ち玉または残度数が更新された場合に、当該更新が行われたプリペイドカードＩＤに対応する持ち玉および残度数を参照し、これら両者の価値高がゼロになった場合には、価値管理テーブル５４ａ内の監視項目および参照暗証番号を消去する。
【００８６】
また、監視項目・暗証番号消去部５５ｃは、図示しないカード精算機（プリペイド残度数を貨幣に精算する装置）や景品管理装置（持ち玉から交換景品相当の玉数を減算する交換制御を行う装置）によって持ち玉または残度数の更新が持ち玉・残度数管理部５５ａに依頼された場合にも、同様に価値高なしのプリペイドカードになったか否かを監視し、価値高なしのプリペイドカードになった場合には監視項目および参照暗証番号を消去する。
【００８７】
次に、本実施例に係る各台計数システムで行われる処理の流れについて説明する。なお、ここでは、（１）監視項目・暗証番号登録処理、（２）監視項目・暗証番号配信処理、（３）監視項目・暗証番号消去処理、（４）本人確認処理の順に説明を行う。
【００８８】
（１）監視項目・暗証番号登録処理
前述したように、ここでは、本実施例に係る監視項目・暗証番号登録処理について説明する。図６は、実施例１に係る監視項目・暗証番号登録処理の手順を示すフローチャートである。
【００８９】
同図に示すように、持ち玉・残度数更新部１６ａによって残度数ゼロからの現金の価値付けが行われるか、或いは持ち玉数ゼロからの持ち玉の加算更新が行われた場合（ステップＳ１０１肯定またはステップＳ１０２肯定）に、監視項目登録部１６ｂは、タッチパネル１０４上に図７に示す監視項目選択画面を表示して監視項目の選択を受け付ける（ステップＳ１０３）。
【００９０】
このとき、持ち玉およびプリペイド残度数のうち少なくともいずれかの価値項目が監視項目として選択された場合（ステップＳ１０４肯定）に、参照暗証番号登録部１６ｃは、タッチパネル１０４上に図８に示す暗証番号入力画面を表示してプリペイドカードの返却時に入力させる入力暗証番号との比較対象とする参照暗証番号の入力を受け付ける（ステップＳ１０５）。なお、監視項目が選択されなかった場合（ステップＳ１０４否定）には、監視項目および参照暗証番号の登録をおこなわず、そのまま処理を終了する。
【００９１】
そして、監視項目登録部１６ｂは、タッチパネル１０４上で受け付けた監視項目を監視項目データ１５ａとして記憶部１５内に登録し、参照暗証番号登録部１６ｃは、同様にタッチパネル１０４上で受け付けた参照暗証番号を参照暗証番号データ１５ｂとして記憶部１５内に登録し、さらに、参照暗証番号登録部１６ｃは、このようにして受け付けた参照暗証番号と、監視項目登録部１６ｂによって受け付けられた監視項目とを挿入中のプリペイドカードのプリペイドカードＩＤに紐付けて監視項目および参照暗証番号の登録を価値管理装置５０に依頼し（ステップＳ１０６）、処理を終了する。
【００９２】
（２）監視項目・暗証番号配信処理
次に、本実施例に係る監視項目・暗証番号配信処理について説明する。図９は、実施例１に係る監視項目・暗証番号配信処理の手順を示すフローチャートである。
【００９３】
同図に示すように、プリペイドカードＩＤを含むカード情報の問合せを受け付けると（ステップＳ３０１肯定）、持ち玉・残度数管理部５５ａは、価値管理テーブル５４ａ内の該当プリペイドカードＩＤに対応する持ち玉およびプリペイド残度数を返信する（ステップＳ３０２）。
【００９４】
このとき、当該プリペイドカードＩＤに対応する監視項目および参照暗証番号の登録が存在する場合（ステップＳ３０３肯定）には、持ち玉・残度数管理部５５ａは、監視項目および参照暗証番号をＣＲユニット１０に返信し（ステップＳ３０４）、処理を終了する。
【００９５】
（３）監視項目・暗証番号消去処理
続いて、本実施例に係る監視項目・暗証番号消去処理について説明する。図１０は、実施例１に係る監視項目・暗証番号消去処理の手順を示すフローチャートである。なお、この処理は、ＣＲユニット１０および価値管理装置５０の両方で行われるが、ここではＣＲユニット１０で行われる場合について説明する。
【００９６】
同図に示すように、持ち玉・残度数更新部１６ａによっていずれかの価値項目の価値高が更新されると（ステップＳ５０１肯定）、監視項目・暗証番号消去部１６ｄは、持ち玉・残度数更新部１６ａによって保持されるプリペイド残度数がゼロであるか否かを判定する（ステップＳ５０２）。
【００９７】
このとき、プリペイド残度数がゼロであった場合（ステップＳ５０２肯定）には、監視項目・暗証番号消去部１６ｄは、持ち玉・残度数更新部１６ａによって保持される持ち玉数がゼロであるか否かをさらに判定する（ステップＳ５０３）。
【００９８】
そして、持ち玉数もゼロであった場合（ステップＳ５０３肯定）には、記憶部１５内の監視項目データ１５ａおよび参照暗証番号データ１５ｂを消去し（ステップＳ５０４）、処理を終了する。
【００９９】
（４）本人確認処理
次に、本実施例に係る本人確認処理について説明する。図１１は、実施例１に係る本人確認処理の手順を示すフローチャートである。
【０１００】
同図に示すように、プリペイドカードの返却操作、たとえばパチンコ機２０付設の返却ボタン２１３が押下された場合（ステップＳ７０１）に、記憶部１５内に監視項目が登録されていれば（ステップＳ７０２肯定）、価値高有無判定部１６ｅは、監視項目に対応する価値高が存在するか否かを判定する（ステップＳ７０３）。
【０１０１】
このとき、監視項目が記憶部１５に登録されていなかった場合（ステップＳ７０２否定）、或いは監視項目に対応する価値高が存在しなかった場合（ステップＳ７０３否定）、価値高有無判定部１６ｅは、持ち玉・残度数更新部１６ａによって持ち玉をプリペイドカードに関連付けさせた後にカード処理部１４に挿入中のプリペイドカードを返却させ（ステップＳ７０４）、処理を終了する。
【０１０２】
一方、監視項目に対応する価値高が存在する場合（ステップＳ７０３肯定）には、本人確認部１６ｆは、タッチパネル１０４を介して入力暗証番号を受け付けるとともに（ステップＳ７０５）、記憶部１５によって参照暗証番号データ１５ｂとして記憶された参照暗証番号を読み出し、入力暗証番号および参照暗証番号を照合する（ステップＳ７０６）。
【０１０３】
ここで、入力暗証番号および参照暗証番号の両者が一致する場合（ステップＳ７０７否定）には、本人確認部１６ｆは、持ち玉・残度数更新部１６ａによって持ち玉をプリペイドカードに関連付けさせた後にカード処理部１４に挿入中のプリペイドカードを返却させ（ステップＳ７０４）、処理を終了する。
【０１０４】
また、入力暗証番号および参照暗証番号の両者が一致しない場合（ステップＳ７０７肯定）には、本人確認部１６ｆは、照合不一致の回数が所定回数（例えば、３回）に至ったか否かを判定する（ステップＳ７０８）。
【０１０５】
そして、照合不一致の回数が所定回数未満である場合（ステップＳ７０８否定）には、上記のステップＳ７０５〜ステップＳ７０７までの処理を繰り返し行う。
【０１０６】
一方、照合不一致の回数が所定回数に至った場合（ステップＳ７０８肯定）には、本人確認部１６ｆは、タッチパネル１０４、価値管理装置５０の出力部５２、その他従業員のインカムなどを通じてプリペイドカードの盗難のおそれがある旨を周囲の遊技客、従業員および不正者に報知し（ステップＳ７０９）、処理を終了する。
【０１０７】
上述してきたように、本実施例によれば、プリペイドカードに関連付けられる価値項目のうち、プリペイドカードの返却時における価値高の有無を監視する対象とする監視項目を取得し、プリペイドカードの返却時の認証情報としての参照暗証番号を取得し、プリペイドカードの返却要求を受け付けた場合に、監視項目の価値高が存在するか否かを判定し、価値高が存在すると判定した場合に、返却時の認証情報としての入力暗証番号を取得し、入力暗証番号と参照暗証番号との照合を行うように構成したので、プリペイドカードの盗難防止処置を実施する場合に、店員または遊技客が行う操作量を低減させることができ、店員または遊技客の操作利便性を損なうことなく、プリペイドカードの盗難防止処置を実施することが可能になる。
【０１０８】
また、本実施例によれば、プリペイドカードにいずれかの価値項目が関連付けられたことを契機に監視項目および参照暗証番号の取得を行うように構成したので、遊技客がプリペイドカードの使用を開始する際に監視項目および参照暗証番号を取得することができ、盗難防止処置に必要な情報を可及的速やかに取得することが可能になる。
【０１０９】
さらに、本実施例によれば、プリペイドカードに関連付けられたすべての価値項目の価値高がゼロになった場合に、取得した監視項目および参照暗証番号を無効化するように構成したので、遊技客個人を一定の度合いで特定して監視項目および参照暗証番号を消去することができ、以前に登録された遊技客の監視項目および参照暗証番号が後から遊技を行う遊技客に引き継がれる事態を防止することが可能になる。
【０１１０】
また、本実施例によれば、価値管理装置５０に対して、ＣＲユニット１０で受入中のプリペイドカードのプリペイドカードＩＤに対応付けて監視項目および参照暗証番号を登録するように依頼し、プリペイドカードを新たに受け入れた場合に、該受け入れたプリペイドカードのプリペイドカードＩＤを用いて、価値管理装置５０に登録された監視項目および参照暗証番号を取得するように構成したので、台移動を行う遊技客に移動先の遊技台で再び監視項目および参照暗証番号を入力させる手間を省くことができ、盗難防止処置に伴う遊技客の操作量を効果的に低減することが可能になる。
【実施例２】
【０１１１】
さて、これまで本発明の実施例について説明したが、本発明は上述した実施例以外にも、種々の異なる形態にて実施されてよいものである。そこで、以下では、本発明に含まれる他の実施例を説明する。
【０１１２】
（１）監視項目・暗証番号の受付契機
例えば、上記の実施例１では、プリペイドカードにいずれかの価値項目が関連付けられたことを契機に監視項目および参照暗証番号を入力させることとしたが、必ずしもそのタイミングで入力させる必要はなく、持ち玉数が所定値（例えば、１００００個）以上になった場合に、監視項目および参照暗証番号の入力を促してその入力を取得するようにしてもかまわない。
【０１１３】
すなわち、遊技客が遊技により持ち玉を獲得し、気持ちよく遊技を行っている際に入力を促すことで、快く監視項目および参照暗証番号を入力させることが可能になる。さらに、監視項目および参照暗証番号が入力されるまで計数部１０７による持ち玉の計数機能を一時停止させるようにＣＲユニット１０を構成することで、カード盗難時の被害が大きくなる状況下において盗難防止処置への協力に対するインセンティブを高めることも可能になる。
【０１１４】
また、これに関連して、本発明では、監視項目および参照暗証番号の入力を推奨する観点から、プリペイド残度数が所定値以上である場合には、監視項目および参照暗証番号が入力されなければ玉貸しを制限するようにしてもかまわない。
【０１１５】
例えば、１００００円がプリペイドカードに価値付けられた場合には、貸出単位金額（例えば、５度数）分だけ貸し出しておき、次に玉を借り受ける際には監視項目および参照暗証番号が入力されてはじめて玉貸し処理を行うようにしてもよい。これによって、持ち玉の場合と同様に、カード盗難時の被害が大きくなる状況下において盗難防止処置への協力に対するインセンティブを高めることも可能になる。
【０１１６】
（２）会員カード
また、上記の実施例１では、ビジターの遊技客が使用するプリペイドカードの盗難防止処置について説明したが、遊技店会員に加盟した遊技客（会員）が所持するプリペイド一体型の会員カードにも本発明を同様に適用することができる。
【０１１７】
そして、かかる会員カードには、会員登録を行う際にあらかじめ暗証番号が登録されているケースが多く、このような場合には、わざわざ参照暗証番号を入力させずとも、会員カードがカード挿入部１０６に挿入された際に当該会員カードに関連付けられた暗証番号を参照暗証番号として取得することで、盗難防止処置に伴う会員の操作量を低減することが可能になる。
【０１１８】
また、プリペイド一体型会員カードには、プリペイド残度数および持ち玉に加えて、貯玉がさらに関連付けられることになるため、図１２に示す監視項目選択画面のように監視項目の選択パターンは、プリペイド残度数、持ち玉、貯玉もしくはこれらの組合せの総数（全７通り）に拡張される。
【０１１９】
また、プリペイド一体型会員カードには、これら３つの価値項目がすべて１つの識別子で関連付けられている必要はない。例えば、プリペイド一体型会員カードが磁気ストライプおよびＩＣカードで構成されており、これらの両方に識別情報がそれぞれ記録されている場合、たとえば磁気ストライプに格納された識別情報が貯玉に関連付けられており、ＩＣカードに格納された識別情報にプリペイド残度数および持ち玉が関連付けられている場合には、プリペイド一体型会員カードに２つの識別情報を通じて３つの価値項目が関連付けられているが、このような場合でも本発明を同様に適用することができる。
【０１２０】
（３）その他
なお、上記の実施例１では、価値管理装置５０がプリペイド残度数および持ち玉の両方を管理することとしたが、必ずしも全ての価値項目について一元管理する必要はなく、プリペイド残度数を管理する管理装置、持ち玉を管理する管理装置、貯玉を管理する管理装置を分散して構成してもよく、また、一部の管理装置を統合して構成してもかまわない。
【０１２１】
また、上記の実施例１では、監視項目、参照暗証番号を価値管理装置５０からＣＲユニット１０に送信することとしたが、本発明はこれに限定されるものではなく、価値管理装置５０で管理した状態で、ＣＲユニット１０から入力暗証番号を価値管理装置５０へ送信するようにしてもよい。その場合は価値管理装置５０側で照合する必要がある。
【０１２２】
また、上記の実施例１では、認証情報として暗証番号を用いることとしたが、必ずしも暗証番号を用いる必要はなく、顔画像や指紋などの生体認証情報などの他の認証情報を用いることができる。
【０１２３】
なお、上記の実施例１では、プリペイドカードに記録されたプリペイドカードＩＤに持ち玉およびプリペイド残度数などの価値高を紐付けることにより価値管理装置５０等の上位装置で価値高を管理することとしたが、プリペイドカード内に持ち玉およびプリペイド残度数を直接記録する場合にも本発明を同様に適用することができる。
【０１２４】
また、上記の実施例１では、本発明を各台計数システムに適用する実施例を説明したが、本発明はこれに限定されるものではなく、島端計数機を有する遊技場にも本発明を同様に適用することができる。
【０１２５】
なお、上記の実施例１では、本発明をパチンコ遊技に適用する例を説明したが、パチスロ遊技を対象としてさらに含めた場合又はパチスロ遊技のみを対象とした場合にも本発明を同様に適用することができる。なお、ここでは、パチンコ店に本発明を適用する例を説明したが、本発明はこれに限定されるものではなく、ゲームセンタ等の遊技施設にも同様に適用することができる。
【産業上の利用可能性】
【０１２６】
以上のように、本発明に係る記録媒体処理機及びその本人確認方法は、店員または遊技客の操作利便性を損なうことなく、遊技用記録媒体の盗難防止処置を実施する場合に適している。
【図面の簡単な説明】
【０１２７】
【図１】実施例１に係る各台計数システムのシステム構成を示すシステム構成図である。
【図２】図１に示したＣＲユニットの外観を示した正面図である。
【図３】図２に示したＣＲユニットの内部構成を示す機能ブロック図である。
【図４】図１に示した価値管理装置の内部構成を示す機能ブロック図である。
【図５】価値管理テーブルに記憶される情報の構成例を示す図である。
【図６】実施例１に係る監視項目・暗証番号登録処理の手順を示すフローチャートである。
【図７】監視項目選択画面の一例を示す図である。
【図８】暗証番号入力画面の一例を示す図である。
【図９】実施例１に係る監視項目・暗証番号配信処理の手順を示すフローチャートである。
【図１０】実施例１に係る監視項目・暗証番号消去処理の手順を示すフローチャートである。
【図１１】実施例１に係る本人確認処理の手順を示すフローチャートである。
【図１２】監視項目選択画面の一例を示す図である。
【符号の説明】
【０１２８】
１０    計数機能付きＣＲユニット
１１    操作部
１２ａ  通信Ｉ／Ｆ部
１２ｂ  遊技機用通信Ｉ／Ｆ部
１３ａ  持ち玉系機能部
１３ｂ  プリペイド系機能部
１４    カード処理部
１５    記憶部
１６    制御部
１６ａ  持ち玉・残度数更新部
１６ｂ  監視項目登録部
１６ｃ  参照暗証番号登録部
１６ｄ  監視項目・暗証番号消去部
１６ｅ  価値高有無判定部
１６ｆ  本人確認部
２０    パチンコ機
３０    島コントローラ
５０    価値管理装置
５１    入力部
５２    出力部
５３    通信Ｉ／Ｆ部
５４    記憶部
５４ａ  価値管理テーブル
５５    制御部
５５ａ  持ち玉・残度数管理部
５５ｂ  監視項目・暗証番号登録部
５５ｃ  監視項目・暗証番号消去部
【図１】
2010005207.tif 000003
【図２】
2010005207.tif 000004
【図３】
2010005207.tif 000005
【図４】
2010005207.tif 000006
【図５】
2010005207.tif 000007
【図６】
2010005207.tif 000008
【図７】
2010005207.tif 000009
【図８】
2010005207.tif 000010
【図９】
2010005207.tif 000011
【図１０】
2010005207.tif 000012
【図１１】
2010005207.tif 000013
【図１２】
2010005207.tif 000014